(57)【要約】【課題】閏年からの経過年と、経過年とは別のカレンダー情報とを、短時間で表示可能な電子時計および電子時計のカレンダー修正方法を提供すること。【解決手段】電子時計１は、秒針１３と、秒針１３に対応した複数の目盛２１が設けられた表示領域２０を備えた文字板２と、秒針１３の駆動を制御して、カレンダー情報を表示させる表示制御部とを備える。表示領域２０は、時計表面側から見て、秒針１３の回転軸１１１，１２１，１３１を通りかつ互いに直交する２本の直線Ｖ１，Ｖ２により分割される４つの分割領域Ａ０〜Ａ３を有し、各分割領域Ａ０〜Ａ３には、閏年からの経過年が対応付けられ、各目盛２１には、月が対応付けられている。表示制御部は、秒針１３にカレンダー情報を表示させる場合、４つの分割領域Ａ０〜Ａ３のうちのいずれかの分割領域内の目盛２１を指示させることで、経過年および月を表示させる。【選択図】図１
2017009556.tif 000002
【特許請求の範囲】
【請求項１】
指針と、
前記指針に対応した複数の目盛が設けられた表示領域を備えた文字板と、
前記指針の駆動を制御して、カレンダー情報を表示させる表示制御部と、を備え、
前記表示領域は、時計表面側から見て、前記指針の回転軸を通りかつ互いに直交する２本の直線により分割される４つの分割領域を有し、
各分割領域には、第１カレンダー情報として閏年からの経過年が対応付けられ、
各目盛には、第２カレンダー情報が対応付けられ、
前記表示制御部は、前記指針にカレンダー情報を表示させる場合、前記４つの分割領域のうちのいずれかの分割領域内の前記目盛を指示させることで、前記経過年および前記第２カレンダー情報を表示させる
ことを特徴とする電子時計。
【請求項２】
請求項１に記載の電子時計において、
前記第２カレンダー情報は、月である
ことを特徴とする電子時計。
【請求項３】
請求項１に記載の電子時計において、
前記第２カレンダー情報は、曜日または日である
ことを特徴とする電子時計。
【請求項４】
請求項１から請求項３のいずれか一項に記載の電子時計において、
前記指針は、秒針である
ことを特徴とする電子時計。
【請求項５】
請求項１から請求項４のいずれか一項に記載の電子時計において、
カレンダー車を備え、
前記表示制御部は、前記カレンダー車の駆動を制御して、第３カレンダー情報を表示させる
ことを特徴とする電子時計。
【請求項６】
請求項１から請求項４のいずれか一項に記載の電子時計において、
第１指針としての前記指針とは別に第２指針を備え、
前記表示制御部は、前記第１指針にカレンダー情報を表示させる場合、前記第２指針の駆動を制御して、前記目盛を指示させることで第３カレンダー情報を表示させる
ことを特徴とする電子時計。
【請求項７】
指針と、前記指針に対応した複数の目盛が設けられた表示領域を備えた文字板と、操作部とを備え、前記表示領域は、時計表面側から見て、前記指針の回転軸を通りかつ互いに直交する２本の直線により分割される４つの分割領域を有し、各分割領域には、第１カレンダー情報として閏年からの経過年が対応付けられ、各目盛には、第２カレンダー情報が対応付けられ、前記指針にカレンダー情報を表示させる場合、前記４つの分割領域のうちのいずれかの分割領域内の前記目盛を指示させることで、前記経過年および前記第２カレンダー情報を表示させる電子時計のカレンダー修正方法であって、
前記操作部の操作に応じて、前記指針に、前記４つの分割領域のうちのいずれかの分割領域を指示させ、前記経過年を修正する年修正ステップと、
前記年修正ステップの後に、前記操作部の操作に応じて、前記指針に、前記分割領域内の前記目盛のうちのいずれかを指示させ、月を修正する月修正ステップと、を有する
ことを特徴とする電子時計のカレンダー修正方法。
【発明の詳細な説明】
【技術分野】
【０００１】
本発明は、カレンダー情報を表示する電子時計および電子時計のカレンダー修正方法に関する。
【背景技術】
【０００２】
従来、時刻を表示する指針を用いて、カレンダー情報を表示する時計が知られている（例えば、特許文献１参照）。
特許文献１の時計では、竜頭である切替スイッチが操作されて、表示モードが時刻表示モードからカレンダー表示モードに切り替えられると、秒針は、５秒の整数倍の秒（５秒、１０秒、…５５秒、０秒）の位置のいずれかを指示することで、月（１月〜１２月）を表示する。そして、分針および時針は、１２時位置、１時位置、２時位置、３時位置のいずれかを指示することで、閏年からの経過年（０年〜３年）を表示する。
【先行技術文献】
【特許文献】
【０００３】
【特許文献１】特開２０００−１４７１５７号公報
【発明の概要】
【発明が解決しようとする課題】
【０００４】
特許文献１の時計では、カレンダー表示モードが設定されると、月および閏年からの経過年（以降、単に経過年とも称する）を表示するため、時針、分針、秒針をすべて移動させる必要がある。このため、月および経過年が表示されるまでに時間を要するという問題がある。
【０００５】
本発明の目的は、閏年からの経過年と、経過年とは別のカレンダー情報とを、短時間で表示可能な電子時計および電子時計のカレンダー修正方法を提供することにある。
【課題を解決するための手段】
【０００６】
本発明の電子時計は、指針と、前記指針に対応した複数の目盛が設けられた表示領域を備えた文字板と、前記指針の駆動を制御して、カレンダー情報を表示させる表示制御部と、を備え、前記表示領域は、時計表面側から見て、前記指針の回転軸を通りかつ互いに直交する２本の直線により分割される４つの分割領域を有し、各分割領域には、第１カレンダー情報として閏年からの経過年が対応付けられ、各目盛には、第２カレンダー情報が対応付けられ、前記表示制御部は、前記指針にカレンダー情報を表示させる場合、前記４つの分割領域のうちのいずれかの分割領域内の前記目盛を指示させることで、前記経過年および前記第２カレンダー情報を表示させることを特徴とする。
【０００７】
通常、表示制御部は、指針に、例えば時刻情報等を表示させている。そして、カレンダー表示モードが設定されると、表示制御部は、指針に４つの分割領域のうちのいずれかの分割領域内の目盛を指示させることで、経過年および第２カレンダー情報を表示させる。第２カレンダー情報は、例えば月や日や曜日である。
例えば、表示領域に、１周を６０分割する６０個の目盛が設けられている場合、各分割領域には、それぞれ１５個の目盛が設けられている。そして、表示制御部は、指針に、経過年と例えば月を表示させる場合、０年が対応付けられた分割領域内の目盛のうち、例えば指針の回転方向の基端側から１番目の目盛を指示させることで０年、１月を表示させ、２番目の目盛を指示させることで、０年、２月を表示させる。同様にして、３番目〜１２番目の目盛を指示させることで、０年と、３月〜１２月の月を表示させる。表示制御部は、同様に、１年から３年を表示する場合も、対応する分割領域内の目盛を指示することで、経過年及び月を表示させる。
これによれば、１本の指針によって、経過年および第２カレンダー情報を表示できるため、例えば、経過年を指示する指針と、第２カレンダー情報を指示する指針とが別々の場合と比べて、指針が移動して経過年および第２カレンダー情報が表示されるまでの時間を短縮できる。また、カレンダー情報の表示にかかる消費電力を低減できる。
また、経過年および第２カレンダー情報を同時に表示させることができるため、例えば、カレンダー表示モードが設定された後、電子時計が備える操作部を操作して、経過年および第２カレンダー情報を切り替えて表示させる場合と比べて、操作を簡略化でき、かつ、短い時間で経過年および第２カレンダー情報を表示できる。
【０００８】
本発明の電子時計において、前記第２カレンダー情報は、月であることが好ましい。
電子時計では、通常、カレンダー情報が表示された状態で、ユーザーが電子時計の操作部を操作することで、カレンダー情報の設定が行われる。
ユーザーは、カレンダー情報の設定を行う場合、通常、経過年を設定し、続けて月を設定する。このため、経過年および月が同時に表示されることで、カレンダー情報を設定し易くできる。
【０００９】
本発明の電子時計において、前記第２カレンダー情報は、曜日または日であることが好ましい。
第２カレンダー情報が曜日の場合、表示制御部は、指針に、例えば、分割領域内の目盛のうち、指針の回転方向の基端側から１番目から７番目の目盛を指示させることで曜日を表示させる。
また、第２カレンダー情報が日の場合、例えば、各分割領域には、３１個の目盛が設けられる。そして、表示制御部は、指針に、分割領域内の３１個の目盛を指示させることで日を表示させる。
本発明によれば、ユーザーは、経過年と、曜日または日を同時に確認できる。
【００１０】
本発明の電子時計において、前記指針は、秒針であることが好ましい。
秒針は、時針や分針と比べて長さ寸法が大きい場合が多いため、どの目盛を指示しているか分かり易い。このため、秒針に経過年および第２カレンダー情報を指示させることで、経過年および第２カレンダー情報を分かり易く表示できる。
【００１１】
本発明の電子時計において、カレンダー車を備え、前記表示制御部は、前記カレンダー車の駆動を制御して、第３カレンダー情報を表示させることが好ましい。
本発明によれば、指針およびカレンダー車によって、経過年に加えて、２つのカレンダー情報（月、曜日、日のうちの２つ）を同時に表示できるため、使い易さを向上できる。
【００１２】
本発明の電子時計において、第１指針としての前記指針とは別に第２指針を備え、前記表示制御部は、前記第１指針にカレンダー情報を表示させる場合、前記第２指針の駆動を制御して、前記目盛を指示させることで第３カレンダー情報を表示させることが好ましい。
本発明によれば、第１指針および第２指針によって、経過年に加えて、２つのカレンダー情報を同時に表示できるため、使い易さを向上できる。また、第２指針に、例えば、時刻情報を表示する指針を用いることで、カレンダー車等、第３カレンダー情報を表示する専用の部品を設ける必要がない。
【００１３】
本発明の電子時計のカレンダー修正方法は、指針と、前記指針に対応した複数の目盛が設けられた表示領域を備えた文字板と、操作部とを備え、前記表示領域は、時計表面側から見て、前記指針の回転軸を通りかつ互いに直交する２本の直線により分割される４つの分割領域を有し、各分割領域には、第１カレンダー情報として閏年からの経過年が対応付けられ、各目盛には、第２カレンダー情報が対応付けられ、前記指針にカレンダー情報を表示させる場合、前記４つの分割領域のうちのいずれかの分割領域内の前記目盛を指示させることで、前記経過年および前記第２カレンダー情報を表示させる電子時計のカレンダー修正方法であって、前記操作部の操作に応じて、前記指針に、前記４つの分割領域のうちのいずれかの分割領域を指示させ、前記経過年を修正する年修正ステップと、前記年修正ステップの後に、前記操作部の操作に応じて、前記指針に、前記分割領域内の前記目盛のうちのいずれかを指示させ、月を修正する月修正ステップと、を有することを特徴とする。
本発明によれば、ユーザーは、操作部を操作して、４つの分割領域のうちのいずれかの分割領域を選択して指針に指示させることで経過年を修正した後、選択した分割領域内の目盛のうちのいずれかを選択して指針に指示させることで月を修正できる。これによれば、例えば、表示領域が備える全ての目盛の中から１つの目盛を選択して指針に指示させることで、経過年および月を同時に修正する場合と比べて、目盛の選択を容易にできるため、経過年および月を設定し易くできる。
【図面の簡単な説明】
【００１４】
【図１】本発明の実施形態の電子時計の正面図である。
【図２】前記実施形態の電子時計の他の表示例を示す図である。
【図３】前記実施形態の電子時計の構成を示すブロック図である。
【図４】前記実施形態のカレンダー表示制御処理を示すフローチャートである。
【図５】前記実施形態の電子時計の表示状態を示す遷移図である。
【発明を実施するための形態】
【００１５】
図１は、アナログ表示を行う電子時計１を示す正面図である。
図１に示すように、電子時計１は、円板状の文字板２を備えている。また、電子時計１は、時刻情報を表示する時針１１、分針１２、秒針１３（センター針）を備えている。時針１１、分針１２、秒針１３の回転軸１１１，１２１，１３１は、文字板２の中心に位置している。
文字板２の外周表面には、０秒位置〜５９秒位置までの各秒位置に対応して、１周を６０分割する６０個の目盛２１が表記されている。そして、０秒位置および５秒の整数倍の秒位置に設けられた１２個の目盛２１は、他の目盛２１よりも長さ寸法および幅寸法が大きく形成されている。各指針１１，１２，１３は、目盛２１を指示することで、時刻の時分秒を表示する。
ここで、文字板２は、時計表面側から見て、各目盛２１の外側の端部を繋いだ線で囲まれた表示領域２０を備える。本実施形態では、文字板２の外周表面に目盛２１が設けられているため、文字板２の全域が表示領域２０となる。
【００１６】
表示領域２０は、時計表面側から見て、回転軸１１１，１２１，１３１を通り、かつ、互いに直交する２本の直線Ｖ１，Ｖ２により分割される４つの扇状の分割領域Ａ０〜Ａ３を有する。
本実施形態では、直線Ｖ１は、文字板２の１２時位置と６時位置を通り、直線Ｖ２は、３時位置と９時位置を通っている。分割領域Ａ０は、直線Ｖ１と、直線Ｖ２と、文字板２の１２時位置から３時位置までの外周縁とで囲まれた領域である。分割領域Ａ１は、直線Ｖ１と、直線Ｖ２と、文字板２の３時位置から６時位置までの外周縁とで囲まれた領域である。分割領域Ａ２は、直線Ｖ１と、直線Ｖ２と、文字板２の６時位置から９時位置までの外周縁とで囲まれた領域である。分割領域Ａ３は、直線Ｖ１と、直線Ｖ２と、文字板２の９時位置から１２時位置までの外周縁とで囲まれた領域である。
そして、各分割領域Ａ０〜Ａ３は、それぞれ、１５個の目盛２１を備えている。すなわち、分割領域Ａ０は、１秒位置から１５秒位置までの１５個の目盛を備え、分割領域Ａ１は、１６秒位置から３０秒位置までの１５個の目盛を備え、分割領域Ａ２は、３１秒位置から４５秒位置までの１５個の目盛を備え、分割領域Ａ３は、４６秒位置から０秒位置までの１５個の目盛を備える。
【００１７】
ここで、各分割領域Ａ０〜Ａ３には、第１カレンダー情報として閏年からの経過年（０年〜３年）がそれぞれ対応付けられている。また、各分割領域Ａ０〜Ａ３内の各目盛２１には、第２カレンダー情報として月（１月〜１２月）がそれぞれ対応付けられている。
そして、後述するカレンダー表示モードが設定されると、秒針１３が、分割領域Ａ０〜Ａ３のうちのいずれかの分割領域内の目盛２１を指示することで、経過年および月が表示される。ここで、秒針１３は、本発明の指針（第１指針）である。
具体的には、秒針１３が、分割領域Ａ０内の目盛２１のうち、秒針１３の回転方向（時計回りの方向）の基端側から１番目の目盛２１（１秒位置の目盛２１）を指示することで０年、１月が表示され、２番目の目盛２１（２秒位置の目盛２１）を指示することで０年、２月が表示される。同様にして、３番目〜１２番目の目盛２１を指示することで、０年と、３月〜１２月の月が表示される。同様に、１年から３年を表示する場合も、秒針１３が、対応する分割領域内の目盛２１を指示することで、経過年及び月が表示される。
図１の例は、カレンダー表示モードが設定された際の表示例であり、秒針１３が、分割領域Ａ０内の４番目の目盛２１（４秒位置の目盛２１）を指示することで、経過年が０年であり、月が４月であることが表示されている。
図２は、電子時計１の他の表示例を示し、秒針１３が、分割領域Ａ２内の１２番目の目盛２１（４２秒位置の目盛２１）を指示することで、経過年が２年であり、月が１２月であることが表示されている。
【００１８】
また、電子時計１には、第３カレンダー情報を表示するカレンダー車として、日を表示する日車１４を備えている。文字板２の３時位置には、日車１４に表記された日（１日〜３１日）を視認させるための日窓２２が設けられている。
また、電子時計１には、操作部として、リューズ３と、Ａボタン４と、Ｂボタン５とが設けられている。
【００１９】
図３は、電子時計１の構成を示すブロック図である。
図３に示されるように、電子時計１は、各指針１１〜１３及び日車１４を駆動する３つのステップモーター４１〜４３と、制御回路５０とを備えている。
秒針１３は、秒針用ステップモーター４１で駆動され、時針１１、分針１２は、時分針用ステップモーター４２で駆動され、日車１４は、日車用ステップモーター４３で駆動される。なお、秒針１３および分針１２が共通のステップモーターで駆動され、時針１１および日車１４が共通のステップモーターで駆動されるようにしてもよい。
【００２０】
制御回路５０は、第１スイッチ検出部５１、第２スイッチ検出部５２、第３スイッチ検出部５３、カレンダー情報記憶部５４、時刻情報記憶部５９、制御部５５、秒針駆動制御部５６、時分針駆動制御部５７、日車駆動制御部５８を備えている。また、制御部５５は、電子時計１における各種処理を行うものであり、表示制御部５５１、モード設定部５５２、カレンダー情報設定部５５３、情報更新部５５４を備える。
【００２１】
第１スイッチ検出部５１は、Ａボタン４の押し込み操作を検出し、押し込み操作があった場合にその検出信号を制御部５５に出力する。
第２スイッチ検出部５２は、Ｂボタン５の押し込み操作を検出し、押し込み操作があった場合にその検出信号を制御部５５に出力する。
第３スイッチ検出部５３は、リューズ３の引き出し操作や回転操作を検出し、これらの操作があった場合に操作に応じた検出信号を制御部５５に出力する。
【００２２】
表示制御部５５１は、秒針駆動制御部５６、時分針駆動制御部５７、日車駆動制御部５８を制御して、各ステップモーター４１〜４３を駆動し、各指針１１〜１３、および日車１４を移動（駆動）させる。各指針１１〜１３および日車１４の移動方法については、後述するカレンダー表示制御処理の説明で詳述する。
秒針駆動制御部５６は、制御部５５から出力される制御信号に応じて、モーター駆動パルスを出力し、秒針用ステップモーター４１を制御して、秒針１３の駆動を制御する。
時分針駆動制御部５７は、制御部５５から出力される制御信号に応じて、モーター駆動パルスを出力し、時分針用ステップモーター４２を制御して、時針１１、分針１２の駆動を制御する。
日車駆動制御部５８は、制御部５５から出力される制御信号に応じて、モーター駆動パルスを出力し、日車用ステップモーター４３を制御して、日車１４の駆動を制御する。
【００２３】
モード設定部５５２は、時分秒と日が表示される通常モードにおいて、Ａボタン４が押され、カレンダー情報の表示を指示するカレンダー表示操作が行われたことを検出すると、カレンダー表示モードを設定する。
【００２４】
カレンダー情報記憶部５４には、カレンダー情報として、現在の日を表す日情報、現在の月を表す月情報、現在の経過年を表す経過年情報が記憶されている。
時刻情報記憶部５９には、時刻情報として、現在の時を表す時情報、現在の分を表す分情報、現在の秒を表す秒情報が記憶されている。
カレンダー情報設定部５５３は、後述するカレンダー情報の修正も行われるカレンダー表示制御処理において、カレンダー情報記憶部５４に記憶されるカレンダー情報を設定する。
情報更新部５５４は、基準信号発生回路から出力される基準信号を利用して時刻を計時し、時間の経過に応じてカレンダー情報記憶部５４に記憶されるカレンダー情報、および、時刻情報記憶部５９に記憶される時刻情報を更新する。
【００２５】
［カレンダー表示制御処理］
通常モードでは、表示制御部５５１は、時刻情報記憶部５９に記憶された時刻情報に基づいて、秒針駆動制御部５６、時分針駆動制御部５７、日車駆動制御部５８を制御して、時針１１、分針１２、秒針１３に現在の時分秒を表示させ、日車１４に現在の日を表示させる。
そして、通常モードにおいてＡボタン４が押されると、モード設定部５５２がカレンダー表示モードを設定し、カレンダー表示制御処理が実行される。
なお、カレンダー表示制御処理が実行されている間、時針１１および分針１２は、現在の時分を継続して表示し、日車１４は、現在の日を継続して表示する。
【００２６】
図４は、カレンダー表示制御処理を示すフローチャートである。図５は、カレンダー表示制御処理における表示状態を示す遷移図である。
図４に示すように、カレンダー表示制御処理が実行されると、表示制御部５５１は、秒針１３を早送りで移動させ、図５の状態１に示すように、秒針１３に、分割領域Ａ０〜Ａ３のうちのいずれかの分割領域内の目盛２１を指示させることで、カレンダー情報記憶部５４に記憶された経過年および月を表示させる（Ｓ１１）。
図５の状態１の例では、秒針１３が、分割領域Ａ０内の４番目の目盛２１を指示することで、経過年が０年であり、月が４月であることが表示されている。
【００２７】
その後、モード設定部５５２は、経過年を修正する年修正モードを設定する。そして、表示制御部５５１は、Ａボタン４またはＢボタン５が押されたかを判定する（Ｓ１２）。Ｓ１２の判定処理は、各ボタン４，５が押されるまで継続される。なお、ボタン４，５が押されないまま予め設定された時間が経過した場合に、モード設定部５５２が年修正モードを終了し、通常モードに戻してもよい。
Ｓ１２でＢボタン５が押されたと判定された場合、表示制御部５５１は、図５の状態２に示すように、秒針１３を早送りで時計回りに９０度（目盛１５個分）移動させて、次の分割領域を指示させる。これにより、経過年が１年進められる修正が行われ、１年進められた経過年が表示される（Ｓ１３：年修正ステップ）。
図５の状態２の例では、０年、４月を指示していた秒針１３が、時計回りに９０度回転して分割領域Ａ１内の４番目の目盛２１（１９秒位置の目盛２１）を指示することで、１年、４月が表示される。
そして、表示制御部５５１は、処理をＳ１２に戻す。これにより、表示制御部５５１は、Ａボタン４が押されるまでの間、Ｂボタン５が押される毎に、秒針１３が表示する経過年を１年ずつ進めさせる。すなわち、元の経過年が０年、１年、２年の場合は、Ｂボタン５が押されると、経過年がそれぞれ１年、２年、３年に進み、経過年が３年の場合は、Ｂボタン５が押されると、経過年が０年に進む。このように、ユーザーは、Ｂボタン５を押すことで、経過年を１年進める修正を行うことができる。
【００２８】
一方、Ｓ１２でＡボタン４が押されたと判定された場合、表示制御部５５１は、図５の状態３に示すように、秒針１３を時計回りに１周（３６０度）移動させる（Ｓ１４）。これにより、年修正モードが、月を修正する月修正モードに切り替わることをユーザーに報知する。そして、モード設定部５５２は、年修正モードを終了し、月修正モードを設定する。
月修正モードが設定されると、表示制御部５５１は、各ボタン４，５が押されたかを判定する（Ｓ１５）。Ｓ１５の判定処理は、各ボタン４，５が押されるまで継続される。なお、ボタン４，５が押されないまま予め設定された時間が経過した場合に、モード設定部５５２が月修正モードを終了し、通常モードに戻してもよい。
Ｓ１５でＢボタン５が押されたと判定された場合、表示制御部５５１は、図５の状態４に示すように、秒針１３を時計回りに移動させて次の目盛２１を指示させる。これにより、月が１月進められる修正が行われ、１月進められた月が表示される（Ｓ１６：月修正ステップ）。
図５の状態４の例では、１年、４月を指示していた秒針１３が、時計回りに６度回転して同じ分割領域Ａ１における５番目の目盛２１（２０秒位置の目盛２１）を指示することで、１年、５月が表示される。
そして、表示制御部５５１は、処理をＳ１５に戻す。これにより、表示制御部５５１は、Ａボタン４が押されるまでの間、Ｂボタン５が押される毎に、秒針１３が表示する月を１月ずつ進めさせる。すなわち、秒針１３は、移動前に指示していた月が１月〜１１月の場合は、Ｂボタン５が押されると、時計回りに６度回転して２月〜１２月を指示し、移動前に指示していた月が１２月の場合は、Ｂボタン５が押されると、時計回りに早送りで移動し、他の３つの分割領域を通過して、移動前と同じ分割領域における１月を指示する。なお、秒針１３が逆転可能な場合には、１２月の位置から１月の位置に移動する際、反時計回りに移動してもよい。これにより、ユーザーは、Ｂボタン５を押すことで、月を１月進める修正を行うことができる。
【００２９】
一方、Ｓ１５でＡボタン４が押されたと判定された場合、経過年および月が確定され、カレンダー情報設定部５５３は、確定した経過年および月に基づいて、カレンダー情報記憶部５４に記憶されているカレンダー情報を設定する。
そして、モード設定部５５２が、月修正モードを終了して通常モードに戻し、カレンダー表示制御処理が終了する。通常モードに戻ると、表示制御部５５１は、秒針１３を移動させて現在の秒を表示させる。
【００３０】
なお、日車１４によって表示される日の修正は、例えば、リューズ３を１段位置に引き出した状態で、リューズ３を回転操作することで行うことができる。
また、時針１１、分針１２、秒針１３によって表示される時刻秒の修正は、秒針１３を０秒位置に合せた状態で、リューズ３を２段位置に引き出し、リューズ３を回転操作することで行うことができる。
【００３１】
［実施形態の作用効果］
秒針１３によって、経過年および月を表示できるため、例えば、経過年を指示する指針と、月を指示する指針とが別々の場合と比べて、指針が移動して経過年および月が表示されるまでの時間を短縮できる。また、カレンダー情報の表示にかかる消費電力を低減できる。
また、経過年および月を同時に表示させることができるため、例えば、カレンダー表示モードが設定された後、ボタン４，５やリューズ３等を操作して、経過年および月を切り替えて表示させる場合と比べて、操作を簡略化でき、かつ、短い時間で経過年および月を表示できる。
また、ユーザーは、カレンダー情報の設定を行う場合、経過年を設定し、続けて月を設定する。このため、経過年および月が同時に表示されることで、カレンダー情報を設定し易くできる。
また、経過年および月を表示する専用の指針やステップモーターを設ける必要がない。このため、電子時計１が備える指針やステップモーターの数を少なくできる。
【００３２】
仮に、表示領域２０が４等分ではなく１２等分され、１２個の分割領域に月が対応付けられ、各分割領域内の目盛２１に経過年が対応付けられている場合、秒針１３が、毎月違う分割領域の目盛２１を指示することで経過年が表示されることになる。経過年は１年毎に値が変化するものなので、秒針１３が毎月違う分割領域の目盛を指示することで経過年が表示される場合、経過年の表示が分かり難くなる場合がある。これに対して、本実施形態によれば、秒針１３が１年間同じ分割領域を指示して経過年が表示されるため、経過年を分かり易く表示できる。
【００３３】
カレンダー表示制御処理では、ユーザーは、年修正モードが設定された状態で、Ｂボタン５を押して、分割領域Ａ０〜Ａ３のうちのいずれかの分割領域を選択して秒針１３に指示させることで経過年を修正した後、Ａボタン４を押して月修正モードに切り替え、Ｂボタン５を押して、選択した分割領域内の１２個の目盛２１のうちのいずれかを選択して秒針１３に指示させることで月を修正できる。これによれば、例えば、６０個の目盛２１の中から１つの目盛２１を選択して秒針１３に指示させることで、経過年および月を同時に修正する場合と比べて、目盛２１の選択を容易にできるため、経過年および月を設定し易くできる。
【００３４】
秒針１３は、時針１１や分針１２と比べて長さ寸法が大きいため、どの目盛２１を指示しているか分かり易い。このため、秒針１３に経過年および月を指示させることで、経過年および月を分かり易く表示できる。
【００３５】
［他の実施形態］
なお、本発明は前述の実施形態に限定されるものではなく、本発明の目的を達成できる範囲での変形、改良等は本発明に含まれるものである。
前記実施形態では、秒針１３は、カレンダー表示モードが設定された場合、第２カレンダー情報として月を表示しているが、本発明はこれに限定されない。例えば、秒針１３は、第２カレンダー情報として曜日や日を表示してもよい。
表示制御部５５１は、秒針１３に曜日を表示させる場合、分割領域内の目盛２１のうち、秒針１３の回転方向の基端側から１番目から７番目の目盛２１を指示させることで曜日を表示させる。なお、１番目の目盛２１に対応付ける曜日の始まりは、日曜日や月曜日等に、適宜設定できるようにしてもよい。
また、秒針１３に日を表示させる場合、例えば、文字板２に、１４秒位置の目盛２１と１５秒位置の目盛２１との間、２９秒位置の目盛２１と３０秒位置の目盛２１との間、４４秒位置の目盛２１と４５秒位置の目盛２１との間、５９秒位置の目盛２１と０秒位置の目盛２１との間に、それぞれ目盛間を３当分する２つの目盛を設け、さらに、その他の目盛間に、それぞれ目盛間を２当分する１つの目盛を設ける。これにより、各分割領域Ａ０〜Ａ３には、３１個の目盛が設けられる。そして、表示制御部は、秒針１３に、分割領域内の３１個の目盛を指示させることで日を表示させる。
また、表示制御部５５１は、カレンダー表示モードが設定されている場合に、ボタン４，５やリューズ３等の操作に応じて、秒針１３に、月と曜日とを切り替えて表示させたり、月と日とを切り替えて表示させたりしてもよい。
【００３６】
前記実施形態では、カレンダー表示モードが設定された場合、秒針１３によって第１カレンダー情報および第２カレンダー情報を表示しているが、本発明はこれに限定されない。例えば、時針１１や分針１２によって第１カレンダー情報および第２カレンダー情報を表示してもよい。また、電子時計が、時間を計測するクロノグラフ機能を備えている場合には、１／５秒クロノグラフ針や、分クロノグラフ針によって第１カレンダー情報および第２カレンダー情報を表示してもよい。
ただし、経過年および月を分かり易く表示するため、目盛２１を指示する指針のうち、長さ寸法が最も長い指針（前記実施形態では秒針１３）によって第１カレンダー情報および第２カレンダー情報が表示されることが好ましい。
【００３７】
前記実施形態では、日車１４によって第３カレンダー情報として日が表示されているが、本発明はこれに限定されない。例えば、曜日を表示する曜車や月を表示する月車によって、第３カレンダー情報として曜日や月を表示してもよい。
また、前記実施形態では、カレンダー車としての日車１４によって、第３カレンダー情報を表示しているが、本発明はこれに限定されない。例えば、時針１１や分針１２によって第３カレンダー情報を表示してもよい。この場合、時針１１や分針１２が、本発明の第２指針に相当する。
表示制御部５５１は、分針１２によって日を表示させる場合、１分〜３１分の目盛２１を指示させることで、１日〜３１日を表示させる。これによれば、日を表示する専用の目盛を設けることなく、日を分かり易く表示できる。
また、カレンダー車によって第３カレンダー情報を表示させ、時針１１または分針１２によって、第４カレンダー情報として月や日や曜日を表示させるようにしてもよい。この場合、経過年、月、日、曜日を同時に表示できる。
【００３８】
前記実施形態では、カレンダー表示制御処理は、Ａボタン４が押されて実行された後、Ａボタン４が２回押されると終了するが、本発明はこれに限定されない。例えば、カレンダー表示制御処理は、実行された後、リューズ３が操作されることで直ちに終了してもよい。この場合、ユーザーは、経過年および月を確認するだけで修正はしない場合には、Ｓ１１によって経過年および月を確認した後、リューズ３を操作することで、直ちにカレンダー表示制御処理を終了させることができる。
【００３９】
前記実施形態では、文字板２は、円板状に形成されているが、本発明はこれに限定されない。例えば、時計表面側から見て、矩形状や楕円状に形成されていてもよい。
また、前記実施形態では、各指針１１〜１３の回転軸１１１，１２１，１３１は、文字板２の中心に位置しているが、本発明はこれに限定されない。例えば、回転軸１１１，１２１，１３１が、文字板２の中心から外周側にずれて配置され、目盛２１が、指針１１〜１３の回転領域の周囲に配置されていてもよい。
【００４０】
前記実施形態では、カレンダー表示制御処理において、Ｓ１５でＡボタン４が押されたと判定された場合、経過年および月が確定され、カレンダー表示制御処理が終了しているが、本発明はこれに限定されない。例えば、Ｓ１５でＡボタン４が押されたと判定された場合、秒針１３が経過年および月を表示した状態で、引き続き、日の修正を行えるようにしてもよい。この場合は、例えば、日の修正が行われ、再度Ａボタン４が押された段階で、経過年、月、日が確定される。
【符号の説明】
【００４１】
１…電子時計、１１…時針、１１１，１２１，１３１…回転軸、１２…分針、１３…秒針、１４…日車、２…文字板、２０…表示領域、２１…目盛、２２…日窓、３…リューズ、４…Ａボタン、４１…秒針用ステップモーター、４２…時分針用ステップモーター、４３…日車用ステップモーター、５…Ｂボタン、５０…制御回路、５４…カレンダー情報記憶部、５５…制御部、５５１…表示制御部、５５２…モード設定部、５５３…カレンダー情報設定部、５５４…情報更新部、５６…秒針駆動制御部、５７…時分針駆動制御部、５８…日車駆動制御部、５９…時刻情報記憶部、Ａ０〜Ａ３…分割領域、Ｖ１，Ｖ２…直線。
【図１】
2017009556.tif 000003
【図２】
2017009556.tif 000004
【図３】
2017009556.tif 000005
【図４】
2017009556.tif 000006
【図５】
2017009556.tif 000007